【手続補正書】
【提出日】平成29年6月29日(2017.6.29)
【手続補正１】
【補正対象書類名】明細書
【補正対象項目名】００３１
【補正方法】変更
【補正の内容】
【００３１】
添付された図面には、包装アセンブリ１０が概略的に描かれている。包装アセンブリ１０は、製品が上部から搬送される複数のバケット（buckets）１２及び１３を備える計量機１１を含む。ここで、複数のバケット１２及び１３は、製品のバッチをシュート１４に搬送するために動作する。シュータ１４は、製品のバッチをフォーマ１５に搬送する。フォーマ１５はストリップ状（strip）の袋材を受けるフォーマショルダ４１を有し、そのストリップ状の袋材を、方向１６に延びる管状の構造物の中に搬送する。ストリップ状の袋材は、管状の形に形成されるように、フォーマショルダ４１の外側面に係合（engages）する。管状の袋材はフォーマショルダ４１の上部開口部から下方に向けて進む。方向１６は、全体的に下方向に垂直である。
【手続補正２】
【補正対象書類名】明細書
【補正対象項目名】００４４
【補正方法】変更
【補正の内容】
【００４４】
包装機１８は一対の被駆動シーリング顎体３１を備える。それぞれのシーリング顎体３１は、シャフト３２に固定される顎支持（アーム）部４６上に取り付けられる。シャフト３２は角度方向３３に対向して回転可能に駆動される。つまり、シーリング顎体３１が全体的に平行な軸の周りを同期して繰り返し回転するように駆動される。軸は離隔され、さらに方向１６を全体的に横切る。シーリング顎体３１は管状の袋材２７と係合し、管状の袋材２７を横方向に封止し、かつ分離した別々の袋を形成するために管状の袋材２７を切断する。
【手続補正３】
【補正対象書類名】明細書
【補正対象項目名】００４５
【補正方法】変更
【補正の内容】
【００４５】
シャフト３２は制御及びモータアセンブリ４４によって駆動される。制御及びモータアセンブリ４４はシャフト３２及び支持部４６に所望の角速度特性（シャフト３２によって決定される）を持たせる。好ましくは、制御及びモータアセンブリ４４は、複数のシーリング顎体３１が、隣接する相互が管状の袋材２７と係合するときに、ベルト２０での管状の袋材２７の方向１６における速度よりも遅い、周速度を有するように、動作されてもよい。他の好ましい動作では、シーリング顎体３１は、管状の袋材２７と係合するとき、一つ又は複数短い時間期間に、回転方向３３の反対方向に動くために、遅くされるか又は反転される。このシーリング顎体３１の動作は、製品が形成される袋のより下部に向かって落ち着いて収納されるのを促す。製品が形成される袋のより下部に向かって落ち着いて収納されるのを促すことによって、複数のシーリング顎体３１の間に製品が係合される機会が削減される。この動作は、さらに毎分の袋生産の増加を促進する。複数のシーリング顎体３１が管状の袋材２７内での封止を形成するために、管状の袋材２７に係合されるとき、複数のシーリング顎体３１は、それらシーリング顎体３１の間の管状の袋材２７と同じ速度を有する。つまり、管状の袋材２７は、複数のシーリング顎体３１と共に動くことによって、速度を変更する。
【手続補正４】
【補正対象書類名】特許請求の範囲
【補正対象項目名】全文
【補正方法】変更
【補正の内容】
【特許請求の範囲】
【請求項１】
フィルム駆動アセンブリと、前記フィルム駆動アセンブリから管状の袋材を受け取る包装機とを組み合わせて動作させる方法であって、
前記フィルム駆動アセンブリは、一つが駆動プーリである複数のローラと、ベルト駆動部を提供するべく前記複数のローラによって駆動されるように前記複数のローラの周りを通過するループ形状のベルトとを含み、前記ベルト駆動部は、前記フィルム駆動アセンブリの下の前記包装機への搬送のために、前記管状の袋材を前記フィルム駆動アセンブリにおいてベルト速度で下向きの所定の方向に移動させるべく前記管状の袋材に係合し、
前記包装機は、互いに反対の角度方向に繰り返される回転により一斉に回転可能に駆動される一対のシーリング顎体を含み、前記シーリング顎体は、各々が角速度とひいては周速度を有するように前記所定の方向を概ね横切る離隔された概ね平行な軸の周りで駆動され、前記シーリング顎体は、製品の袋を形成するべく前記管状の袋材を横方向に封止するために前記管状の袋材と係合し、
前記フィルム駆動アセンブリは、前記ベルト及び前記一対のシーリング顎体の動作を引き起こすために前記フィルム駆動アセンブリ及び前記包装機に動作可能に接続される複数のモータと、前記モータの動作を引き起こすために前記モータに動作可能に接続されるコントロールとをさらに含み、
前記方法は、前記シーリング顎体の前記管状の袋材との封止接触に先立って、前記シーリング顎体が互いに隣接し且つ前記管状の袋材と係合しているときに前記管状の袋材の振動を引き起こすように変化する前記シーリング顎体の周速度とベルト速度との間の相対速度を有するべく前記モータが前記ベルト及び前記シーリング顎体を駆動するように前記コントロールを使用することを含み、前記管状の袋材の前記振動は、形成されている袋の下部に向かって製品が置かれるのに役立ち、
前記ベルトは、前記管状の袋材の振動を引き起こすために前記所定の方向とは反対の方向に駆動される、方法。
【請求項２】
前記シーリング顎体の周速度は、少なくとも前記管状の袋材の振動を引き起こすのに役立つように変化する、請求項１に記載の方法。
【請求項３】
前記複数のモータは複数のサーボモータを含み、少なくとも一つのサーボモータが被駆動ローラを駆動し且つ少なくとも一つのサーボモータが前記一対のシーリング顎体を駆動し、前記コントロールは、前記ベルトが前記所定の速度で前記管状の袋材を提供するように前記複数のサーボモータを作動させるべくプログラムされたコンピュータであり、前記一対のシーリング顎体を駆動するサーボモータは、前記一対のシーリング顎体の周速度が前記所定の速度よりも遅いように作動される、請求項１又は２に記載の方法。
【請求項４】
前記周速度は、前記一対のシーリング顎体が互いに隣接しているとき、前記所定の方向の反対方向にある、請求項２又は３に記載の方法。
【請求項５】
前記ベルトは前記管状の袋材と摩擦的に係合するための駆動面を有し、前記ベルトは前記駆動面が前記管状の袋材と係合する全体的に直線的な第１経路部を含む所定の経路に沿って動き、前記ベルトは前記駆動面から前記ベルトを横断して延びる複数の通路を有し、
前記管状の袋材に交差する空気圧の差が前記第１経路部において前記駆動面に対して前記管状の袋材を押し付けるように、前記複数の通路が減圧された空気圧にさらされるように、マニホールドが減圧された空気圧にさらされ且つ前記第１経路部の少なくとも一部のために前記通路と連通し、
前記駆動プーリは、前記ベルトを前記経路に沿って所定の方向に移動させるために前記ベルトと係合し、
前記ベルトは、前記第１経路部を提供するために、前記ローラの内の第１ローラと前記ローラの内の第２ローラとの間を通過し、前記第１及び第２ローラ並びに駆動プーリは第２経路部と第３経路部を提供するために協働し、前記第１経路部に対する前記第２経路部及び第３経路部は、前記第１経路部から離れて延びる方向を有する、請求項１から４のいずれか一項に記載の方法。
【請求項６】
前記第１及び第２ローラは遊びローラである、請求項５に記載の方法。
【請求項７】
前記第２及び第３経路部は直線的である、請求項５又は６に記載の方法。
【請求項８】
前記フィルム駆動アセンブリは、前記管状の袋材を加熱するために前記第１経路部に加熱バーを含む、請求項５、６又は７に記載の方法。
【請求項９】
前記ベルトは第１ベルトであり、前記フィルム駆動アセンブリは第２ベルトを含み、前記第２ベルトは、前記第１経路部において前記第１ベルトに対して全体的に平行であり、駆動面と、前記第２ベルトの前記駆動面から前記第２ベルトを横断して延びる複数の通路とを含み、前記第２ベルトの前記通路は、前記第２ベルトの前記通路も前記管状の袋材が前記第２ベルトと係合するのを促すために減圧された空気圧にさらされるように、前記マニホールドと連通する、請求項６、７又は８に記載の方法。
【請求項１０】
前記第２ベルトは第２駆動プーリ及び第３及び第４遊びローラの周りを通過する、請求項９に記載の方法。
【請求項１１】
前記第２駆動プーリはある半径を有し、前記第３及び第４遊びローラの各々はある半径を有し、前記第２駆動プーリの半径は前記第３及び第４遊びローラの半径よりも長い、請求項１０に記載の方法。
【請求項１２】
前記第１ローラは前記第２ローラの概ね垂直上方にある、請求項５から１１のいずれか一項に記載の方法。
【請求項１３】
前記第２経路部は前記第２ローラと前記第１ベルトの前記駆動プーリとの間に延び、前記第２経路部は全体的に水平に延びる、請求項５から１２のいずれか一項に記載の方法。
【請求項１４】
前記フィルム駆動アセンブリはさらなる遊びローラを含み、前記さらなる遊びローラは前記ベルトが前記駆動プーリと係合するのを促す、請求項５から１３のいずれか一項に記載の方法。
【請求項１５】
前記フィルム駆動アセンブリはフォーマをさらに含み、前記フォーマは、中空部及びフォーマ下端部を提供するシート材で構成されたフォーマショルダを含み、前記フォーマショルダは、ストリップ状の袋材を前記フォーマから所定の方向に移動される前記管状の袋材に形成するためにストリップ状の袋材を受け取る外側面を有し、前記ローラは上部ローラと下部ローラを含み、前記上部ローラは少なくとも部分的に前記下端部よりも高く突出する、請求項１から１４のいずれか一項に記載の方法。
【請求項１６】
前記上部ローラは前記中空部の中に延びる、請求項１５に記載の方法。